(57)【要約】      （修正有）【課題】  軽量化及び作業のサイクルタイムを短縮するようにしたコークガイド車を提供する。【解決手段】  コークガイド車３の内台車４上のドアーリフター架６よりシートクリーナー１１を外してコークガイドをシートクリーナーの外し分においてドアーリフター架に寄せて配設し、またドアークリーナーをドアーのクリーニング位置に設けると共にシートクリーナーをドアーリフター架の後側に進退するように設けて、該内台車の横移動距離を短縮してコークガイド車の機長を可及的に小に短縮し軽量化し、内台車なしのワンポイント式コークガイド車にあってはコークガイド１２をドアーリフターの後側に別途前進するように設けて機長をさらに短くして、両コークガイド車を最端の炉室前までスピードアップして正対停車可能にした。【選択図】  図１
2007084596.tif 000002
【特許請求の範囲】
【請求項１】
コークガイド車の内台車上のドアーリフター架の側面よりシートクリーナーを外してコークガイドをシートクリーナーの外し分においてドアーリフター架に寄せて配設し、またドアークリーナーをドアーのクリーニング位置に設けて該内台車の横移動距離を短くすると共にシートクリーナーをドアーリフター架の後側に進退するように設けて、コークガイド車の機長を従来の３分の２程度に短縮し軽量化してコークス炉の最端炉室内のコークスも誘導窯出し可能にしたことを特徴とするコークガイド車。
【請求項２】
内台車を搭載しないコークガイド車にあっては、シートクリーナーをドアーリフター架から外さないかわりにコークガイドをドアーリフター架の後側に進退するように設けてコークガイド車の機長を従来の２分の１程度に短縮し軽量化したことを特徴とするコークガイド車。
【発明の詳細な説明】
【技術分野】
【０００１】
この発明は、コークガイド車、詳しくは１度の炉室前停車にてドアーの取外しからコークスの窯出し誘導までの一切を行ういわゆるワンポイント方式車の機長を短縮し軽量化してコークス炉室内のコークスをスピードアップしてスムースに窯出し誘導を可能とするコークガイド車に関するものである。
【背景技術】
【０００２】
実公昭５９−３８４１８号公報は、台車４，４'間に移動枠（内台車）５を配置し、この移動枠５にガイドシールド（コークガイド）６，炉蓋取機（ドアーリフター）９等を支持してコークガイド車の一度の炉室前停止と移動枠（内台車）５の横移動にてドアーの着脱からコークスの窯出し誘導までを行うということを記載している。また特公昭５３−７１６９号公報は、内台車の記載はないが、いわゆるワンポイント方式のコークガイド車を記載している。一側に前後進する支持枠３とその前部の旋回軸４をもとに９０度旋回する枠体５を設け、この枠体５に鉤形配置にてドアーリフター６と炉蓋枠掃除機（シートクリーナー）７を取付け、他側にコークス誘導篭（コークガイド）１２を配置してなり、このコークガイド車１を窯出ししようとする炉口２０前に停車させて、先づドアーリフター６にて炉蓋（ドアー）１９を取外して後退し旋回軸４にて９０度旋回して炉蓋１９を炉蓋掃除機（ドアークリーナー）２４側に向けて炉口２０前を開放し、そこにコークス誘導篭１２を移動させてきて炉口２０に前進接続し、当該炉室内のコークスを誘導窯出しして消火車上に落載し、この間に炉蓋掃除機２４の前進にて炉蓋１９をクリーニングして後、該掃除機２４は後退して炉蓋１９を旋回戻り可能にする。窯出しコークスの誘導を終了するとコークス誘導篭１２は元位置に戻され、別の旋回軸８を左側に９０度旋回させて炉蓋枠掃除機７を炉口２０に相対させて炉口２０に進入させて炉口２０の前面の炉蓋枠（ドアーフレーム）２１をクリーニングする。この際炉蓋１９は別の旋回点にて９０度さらに旋回して１５図乃至第１７図に示されるようにコークス誘導篭１２側に横向きに張り出すが、該クリーニングの終了後に炉蓋１９は炉口２０前に旋回戻しされて、前進により炉口２０に再装着されて一連の作業を完了するということを記載している。
【特許文献１】実公昭５９−３８４１８号公報
【特許文献２】特公昭５３−７１６９号公報
【発明の開示】
【発明が解決しようとする課題】
【０００３】
しかしながら上記両公報のワンポイント式といわれるコークガイド車は、ドアーリフターの枠体の側面にシートクリーナーを取付けているために、ドアーリフター架は大きな幅を必要にしており、このためにコークガイドはドアーリフターより大きく離れて設けられて往復ストロークが大きくなり、コークガイド車はその機長を著しく長大にして重量が嵩み、このためにコークガイド車をドアー吊り外しのための炉口前停止と、コークガイドの炉室前停止の２度に分けて停止させる２点式のコークガイド車と違って、機長の長い従来型の内台車式のコークガイド車を２台並列して停車させた場合、機長が長すぎて２台目のガイド車ではコークス炉の端部の２〜５窯の炉室内のコークスの窯出し誘導ができず、従って従来は短小の２点式のコークガイド車を別途配車しなければならないという課題があった。またコークガイド車は機長の長大に伴う重量増しによって走行の始動と停止時に大きな慣性が生ずるために移動走行にスピードが欠け、また軌条負担を大きくして軌条の損傷を早め、走行のための動力も大型にして運転操作をむづかしくしてメンテナンスを多とし費用負担を大きくしているという課題があった。
【課題を解決するための手段】
【０００４】
本発明は、内台車搭載のコークガイド車にあっては、ドアーリフター架よりシートクリーナーを外してドアーリフター架の後側に進退するようにして設け、該シートクリーナーの外し分においてコークガイドをドアーリフター側に引寄せて配設して内台車の往復の移動幅を小にし、またドアークリーナーも高圧水噴射ノズルとカッターの単純な構成によって、あらかじめドアーのクリーニング位置に固定配設して、内台車付きのコークガイド車の軌道走行方向の長さ、つまり機長を可及的に小に短縮して軽量化し、また内台車機能のないコークガイド車はドアーリフターの後側にコークガイドを配置することで機長をさらに大きく短縮することにより従来型の機長の長いコークガイド車と本発明の機長の短いガイド車とを並列に２台並べてもコークス炉の最端部の炉室内のコークスの窯出しを確実に誘導可能にして、かかる課題を解決したのである。
【発明の効果】
【０００５】
本発明は以上のようにしてドアーリフター架よりシートクリーナーを外したことで外し分においてコークガイドをドアーリフター架に接近させて往復の移動幅を縮小することができ、内台車搭載のコークガイド車の機長を従来の３分の２程度に縮小して軽量化することができるという効果を生ずる。
【０００６】
内台車搭載のコークガイド車の機長を以上のように短小にしたことによって、従来型コークガイド車と本発明のコークガイド車を並列しても、従来型コークガイド車をコークス炉の最端部の炉室前まで窯出し誘導のために走行させて停車させることができ、自動化の困難な２点作業のコークガイド車の配車を不要にするという効果を生ずる。
【０００７】
コークガイド車の縮小による軽量化によって走行の際の慣性が小さくなるために、コークガイド車はスピードをアップして走行し得ることとなり、コークス炉最端部の炉室内の窯出し誘導も中間の炉室内のコークス窯出しの際の誘導と同様にスピードアップして誘導することができるという効果を生ずる。
【０００８】
ワンポイントの停止にて窯出しコークスの誘導までの一切を行う内台車を搭載しないコークガイド車にあっては、ドアーリフター架の旋回退避の際に炉口に前進して接続するように、ドアーリフター架の後側にコークガイドを設けることで内台車搭載のコークガイド車より内台車の移動距離が不要となる分その機長をさらに短縮して従来の２分の１程度にすることができることになるという効果を生ずる。
【０００９】
コークガイド車を短小にして軽量化することによって走行の際の慣性が小さくなり、また運転動力機構の簡素化と動力費を減じ、また軌条の重量負担も減少してその損傷を防止することができるという効果を生ずる。
【発明を実施するための最良の形態】
【００１０】
内台車搭載のコークガイド車は、内台車上のドアーリフター架の側面よりシートクリーナーを外して該クリーナー分においてコークガイドをドアーリフター側に引寄せ、またドアークリーナーをクリーニング位置に固定して、内台車の横移動距離を短くすると共にシートクリーナーをドアーリフター架の後側に進退するようにして設け、コークガイド車の走行方向の長さを可及的に小に短縮して軽量化してコークス炉の最端の炉室前にも窯出し誘導のため２台目として従来のコークガイド車を正対停止させることができるようにする。
【００１１】
内台車を搭載しないコークガイド車にあってはコークガイドをドアーリフターの後側に設けて一層の短縮を計るのである。
【実施例１】
【００１２】
図１は第１実施例であって、コークス炉１の窯出し側の軌条２を走行するコークガイド車３は内台車４上に前面をドアーリフター５とするリフター架６を設け、このリフター架６はシリンダー７にて前後進する支持体８の前部の旋回軸９にて９０度往復旋回する旋回枠１０の前部に前向きにて取付けられている。１１はドアーリフター架６の後方に設けた進退するシートクリーナーであり、１２はこれらの一側に平行して設けるコークガイドである。コークガイド１２の前端は運転室１３による炉口付近の視界範囲１４を損なわない位置にとどめておく。１５はドアーリフター架６の他側に設けるドアークリーナーである。ドアークリーナー１５はドアーのクリーニング位置に固定されている。
【００１３】
以上により内台車４は横移動距離が従来の２分の１程度に短くなるためにコークガイド車３の走行方向の両端を図１に示すように大幅にカットして、実施例では従来のコークガイド車３の機長を３分の２程度に短縮して軽量化して、走行時の始動と停止の際の慣性を著しく小さくする。
【００１４】
このようにして内台車搭載のコークガイド車３は短小となるために、１台目として配車することにより、コークス炉１の最端の炉室前まで窯出し誘導のために２台目の従来型の長いコークガイド車をもって正対停車を可能にすることができる。
【００１５】
コークガイド車３をコークス炉１の端部炉室１ａ前に停車させると内台車４の位置合せ移動にて先づ、シリンダー７にて支持体８を前進させてドアーリフター５を炉口１ｂに向わせて炉口１ｂに装着しているドアー１６を吊上げ外しして後退し、次いで旋回軸９をもとに旋回枠１０をドアークリーナー１５側に９０度旋回させて炉口１ｂ前を開放してこの開放した炉口１ｂ前にコークガイド１２を内台車４の横移動にて炉口１ｂの前に位置合わせして前進により炉口１ｂに接続して消火車（図示してない）上との間に窯出しコークスの誘導路を作って窯出しコークスを消火車上に誘導することとなる。
【００１６】
この内台車４の横移動は吊り上げ外ししたドアー１６をドアークリーナー１５に接近させてクリーニングされることとなる。
【００１７】
窯出しコークスの誘導を完了すると、コークガイド１２は元位置に戻されて炉口１ｂ前は再び開放されてシートクリーナー１１をシリンダー手段にて前進させて炉口１ｂ内に入れて炉口１ｂに嵌付けられたドアーフレーム１ｃをクリーニングして元位置に後退し、旋回枠１０の戻り旋回と支持体８の前進にてドアー１６を炉口１ｂに再装着してドアーリフター架５を元位置に戻して一連の作業を完了するのである。
【実施例２】
【００１８】
図２は第２実施例であって、内台車４を搭載しないコークガイド車３はドアーリフター架６の側面にシートクリーナー１１を取付けていて外さないかわりに、コークガイド１２をドアーリフター架５の後側に設けるのである。コークガイド１２の後部は大きく消火側に張り出すが、消火車を当らないように構成するのである。
【００１９】
この実施例ではドアーリフター５がドアー１６を吊り上げ外しして後退し９０度旋回して炉口前を開放したときに図３に示すようにコークガイド１２を前進させて窯出しコークスを消火車上へ誘導し、誘導の完了後にドアーリフター架５を大旋回つまり炉口側に９０度旋回して戻してからシートクリーナー１２を炉口１ｂ側に９０度小旋回し正対させてドアーフレーム１ｃをクリーニングするのである。ドアー１６は９０度旋回した点でドアークリーナー１５に近接してクリーニングされることとなる。
【産業上の利用可能性】
【００２０】
本発明はコークガイド車の内台車の横移動距離を短縮することで内台車付きのコークガイド車を可及的に小に短縮して軽量化し、また内台車なしのコークガイド車はコークガイドをドアーリフターの後側に設けることで、その機長をさらに短縮することで、上記両ガイド車はいずれも従来型の長いガイド車と２台並列停車させてもコークス炉の最端の炉室前まで従来型内台車式コークガイド車を正対停車させてコークス窯出しの際のコークスの誘導を行うことができ、しかも走行慣性を小にすることによるスピードアップと内台車の移動距離を短くするまたは内台車を不要にして移動なしとすることで作業のサイクルタイムを大幅に短縮することができ、小型軽量化による運転系統の簡素化，軌条の重量負担の軽減，機内の集塵容積が小さくなることで集塵効率が向上するなどコークス炉の周辺機器として広範な用途で利用することができる。
【図面の簡単な説明】
【００２１】
【図１】第１実施例の平面図
【図２】第２実施例の平面図
【図３】同、コークガイドを前進させた状態を示す平面図
【図４】固定位置に待機するドアークリーナーにドアーが旋回して正対した状態を示す上部の部分拡大断面図
【符号の説明】
【００２２】
１はコークス炉
１ａは炉室
１ｂは炉口
１ｃはドアーフレーム
２は軌条
３はコークガイド車
４は内台車
５はドアーリフター
６はリフター架
７はシリンダー
８は支持体
９は旋回軸
１０は旋回枠
１１はシートクリーナー
１２はコークガイド
１３は運転室
１４は炉口の視界範囲
１５はドアークリーナー
１６はドアー
１７ａ，１７ａは両端のカット部分
【図１】
2007084596.tif 000003
【図２】
2007084596.tif 000004
【図３】
2007084596.tif 000005
【図４】
2007084596.tif 000006